(57)【要約】【課題】  構造を改善してよりスリム化できるようになった超薄型スロットインタイプドライブ装置を提供する。【解決手段】  上記のような目的を達成するための本発明による超薄型スロットインタイプドライブ装置は、一側に形成されたスロットを通じて記録媒体が内部に引出／引込されるようになっており、記録媒体をクランピングするクランプが備えられているトップリンクプレートと、前記トップリンクプレートとは分離して記録媒体を回転させる回転手段を備えた本体と、前記トップリンクプレートに引込まれて装着される記録媒体を感知して前記トップリンクプレートを下降させるように制御すると共に前記回転手段を作動して記録媒体の引出しを命令する信号の入力によって前記回転手段の作動を中止すると共に前記トップリンクプレートを上昇させるように制御する制御手段及び、前記トップリンクプレートを前記本体に昇降可能に結合させると共に前記制御手段の制御によって前記トップリンクプレートを昇降させる昇降手段、を含んで構成されたことを特徴とする。【選択図】      図４
2005222670.tif 000002
【特許請求の範囲】
【請求項１】
スロットを通じてディスク形態の記録媒体を引出／引込するようになっている超薄型スロットインタイプドライブ装置であって、
一側に形成されたスロットを通じて記録媒体が内部に引出／引込されるようになっており、記録媒体をクランピングするクランプが備えられているトップリンクプレートと、
前記トップリンクプレートとは分離して記録媒体を回転させる回転手段を備えた本体と、
前記トップリンクプレートに引込まれて装着される記録媒体を感知して前記トップリンクプレートを下降させるように制御すると共に前記回転手段を作動して記録媒体の引出しを命令する信号の入力によって前記回転手段の作動を中止すると共に前記トップリンクプレートを上昇させるように制御する制御手段及び、
前記トップリンクプレートを前記本体に昇降可能に結合させると共に前記制御手段の制御によって前記トップリンクプレートを昇降させる昇降手段、
を含んで構成されたことを特徴とする超薄型スロットインタイプドライブ装置。
【請求項２】
前記昇降手段は、前記トップリンクプレートを前記本体の一端に回動可能に固定するヒンジ結合部と、
前記本体から前記トップリンクプレートを昇降する昇降機構と、
前記制御手段の制御によって前記昇降機構を作動する昇降駆動部と、
を含んで構成されたことを特徴とする請求項１に記載の超薄型スロットインタイプドライブ装置。
【請求項３】
前記トップリンクプレートは、前記記録媒体をスロットの入口と内部との間に移送する移送手段を備えるが、
前記移送手段は、前記スロットの入口内壁に設けられて両傾斜方向に弾性力を発生するようにした突出部が形成されており、この突出部が記録媒体の側面と接触してその両傾斜部がそれぞれ前記スロットの入口と内部とを向くように配置される弾性部材及び、
記録媒体を前記スロットの内部から入口方向に押し出すレバー手段を含んで構成されたことを特徴とする請求項１または請求項２に記載の超薄型スロットインタイプドライブ装置。
【請求項４】
前記スロットの入口には、摩擦系数の高い材質からなり記録媒体の側面と接触するストッパがさらに設けられていることを特徴とする請求項３に記載の超薄型スロットインタイプドライブ装置。
【請求項５】
前記スロットの内部には、記録媒体の側面が挿入されてスライドできるように凹溝を有するガイド手段がさらに設けられていることを特徴とする請求項３に記載の超薄型スロットインタイプドライブ装置。
【請求項６】
前記ガイド手段は、凹溝を有するガイドレバーと、このガイドレバーを作動して待避／復帰させるレバー駆動部を含むことを特徴とする請求項５に記載の超薄型スロットインタイプドライブ装置。
【発明の詳細な説明】
【技術分野】
【０００１】
本発明は、超薄型スロットインタイプドライブ装置に関し、特に、よりスリム化できるようになされた超薄型スロットインタイプドライブ装置に関する。
【背景技術】
【０００２】
周知のように、ディスクタイプの記録媒体としては、光を媒介に信号を読み書きするようになされた光ディスク型記録媒体と、磁気的な特性を利用してディスク表面の像を変化させることにより信号を読み書きするようになされた磁気ディスク型記録媒体とに大別される。
この内、光ディスク型記録媒体は、多様な規格が公開及び普及されているが、コンパクトディスク（Ｃｏｍｐａｃｔ Ｄｉｓｋ；“ＣＤ”）とデジタル多機能ディスク（Ｄｉｇｉｔａｌ Ｖｅｒｓａｔｉｌｅ Ｄｉｓｋ；“ＤＶＤ”）が一番幅広く使用されている。
このような光ディスク型記録媒体は、別途のドライブ装置を通じて記録または再生を遂行するようになり、記録される信号の形態とデータ内容によって、オーディオ、ビデオ、データ記録用などに区分されている。
【０００３】
光ディスク型記録媒体をドライブする装置は、記録媒体をローディングして回転させながら光ピックアップ装置を移動させて信号を読み書きするようになっているが、記録媒体をローディングする方式によって、トレータイプと、スロットインタイプとに区別される。
この内、トレータイプは、ボタンを押す場合トレーが本体内部から突出するようになっているが、突出したトレーに記録媒体をおいてボタンを押せばトレーが本体内部に移動して記録媒体をロードするようになっている。
【０００４】
これに反して、スロットインタイプは、図１に示すように、トレーなしで前面にスロットが形成された構造であって、箱状のケース（Ｃ）によって外観を形成し、図２に示すように、前面のスロット１に記録媒体２を挿入すればスロット１の入口に設けられたセンサ（図示なし）が記録媒体２の挿入を感知することによってスロット１内部の移送メカニズム３が動力によって作動して記録媒体２を内部に移送するようになっている。
上記のように移送メカニズム３によって記録媒体２が移送された後には、図３に示すように、トップリンクプレート４が下降してトップリンクプレート４の中心部に位置したクランプ５が記録媒体２を下方にクランピングするようになっており、この状態でターンテーブル（図示なし）が回転して記録媒体を回転させ、光ピックアップ機構が作動して記録媒体２から信号を読み取ったり書き込むようになる。
【０００５】
このように構成されたスロットインタイプのドライブ装置は、別途のトレーが使われないため、トレータイプよりは厚さが薄いが、その内部にトップリンクプレート４が上下方向に移動しなければならない厚さ程の空間（Δｔ０１）が確保されなければならず、動力によって作動する移送メカニズム３が設けられているため（Δｔ０２）、スリム化するには多少限界がある（Δｔ０ = Δｔ０１+Δｔ０２+Δｔ０３、但し、Δｔ０３は記録媒体の厚さ）。
参考として、トップリンクプレート４が上下方向に移動する空間は、移送メカニズム３と記録媒体２が本体内部で引っ掛かることなく移動できるように確保されなければならない必須空間であり、厚さを薄くするために決定的な障害要素として作用するようになる。
【発明の開示】
【発明が解決しようとする課題】
【０００６】
ところが、近来電子製品の多くの機能を複合するデジタルコンバージョンス（Ｄｉｇｉｔａｌ Ｃｏｎｖｅｒｓｉｏｎｓ）が大勢的な傾向であり、例えば、ＴＶと光ディスクドライブとの複合型、オーディオコンポネントと光ディスクドライブとの複合型、ビデオカセットプレーヤーと光ディスクドライブとの複合型、セットップボックスと光ディスクドライブとの複合型、車両用モニターと光ディスクドライブとの複合型などの普及が活発になっている。
そして、このように多くの多様な機能の電子製品に複合型として採用される光ディスク記録媒体ドライブは、該当電子製品の限定された空間を活用するためにスロットインタイプのドライブ装置が使用されている。
【０００７】
最近の電子製品はより軽くて体積が小さく、スリム化されて行く趨勢にあり、特に、上記した複合型の製品はより小さな空間を占めながらさまざまな機能を遂行できるようにする製品特性によって軽薄短小化が非常に重要視されている。
ところが、他の電子製品に比べて、光ディスク型ドライブ装置は、その内部メカニズムの構造上厚さを薄くすることに限界があり、これによってこれを採用する電子製品の厚さを薄くすることを妨げる作用をする問題があるため、光ディスク型ドライブの構造を改善して厚さをよりスリム化することが要求されている。
【０００８】
ここで、本発明は上記のような要求に応えるために案出されたものであって、構造を改善してよりスリム化できるようになった超薄型スロットインタイプドライブ装置を提供することにその目的がある。
【課題を解決するための手段】
【０００９】
上記のような目的を達成するための本発明による超薄型スロットインタイプドライブ装置は、一側に形成されたスロットを通じて記録媒体が内部に引出／引込されるようになっており、記録媒体をクランピングするクランプが備えられているトップリンクプレートと、前記トップリンクプレートとは分離して記録媒体を回転させる回転手段を備えた本体と、前記トップリンクプレートに引込まれて装着される記録媒体を感知して前記トップリンクプレートを下降させるように制御すると共に前記回転手段を作動して記録媒体の引出しを命令する信号の入力によって前記回転手段の作動を中止すると共に前記トップリンクプレートを上昇させるように制御する制御手段及び、前記トップリンクプレートを前記本体に昇降可能に結合させると共に前記制御手段の制御によって前記トップリンクプレートを昇降させる昇降手段、を含んで構成されたことを特徴とする。
【００１０】
そして、本発明は、前記昇降手段が、前記トップリンクプレートを前記本体の一端に回動可能に固定するヒンジ結合部と、前記本体から前記トップリンクプレートを昇降する昇降機構と、前記制御手段の制御によって前記昇降機構を作動する昇降駆動部と、を含んで構成されたことを別の特徴とする。
【００１１】
さらに、本発明は、前記トップリンクプレートが、前記記録媒体をスロットの入口と内部との間に移送する移送手段を備えるが、前記移送手段は、前記スロットの入口内壁に設けられて両傾斜方向に弾性力を発生するようにした突出部が形成されており、この突出部が記録媒体の側面と接触してその両傾斜部がそれぞれ前記スロットの入口と内部とを向くように配置される弾性部材及び、記録媒体を前記スロットの内部から入口方向に押し出すレバー手段を含んで構成されたことをまた別の特徴とする。
【発明の効果】
【００１２】
本発明は、トップリンクプレートを本体と分離し、記録媒体が引込まれる時にはトップリンクプレートを上昇させてスロット内で移送時の記録媒体が引っ掛かることがないようにした後、トップリンクプレートを下降させて記録媒体をクランピングするように構成したものであって、記録媒体がスロットの内部で引っ掛かることなく移送され得る高さ程の空間を装置内部に確保しなくともよくなり、その分の厚さを薄くすることができて装置をより顕著にスリム化することができる効果がある。
【発明を実施するための最良の形態】
【００１３】
次に、本発明の実施例を添付図によって詳述する。
図４は本発明の好ましい実施例による超薄型スロットインタイプドライブ装置の外観斜視図であり、同図面を参照すれば分かるように、本発明による超薄型スロットインタイプドライブ装置は、トップリンクプレート１０とこのトップリンクプレート１０の一端とヒンジ１０ａ結合によって回動可能に結合する本体２０とを含む。
【００１４】
トップリンクプレート１０は箱状からなり一側に形成されたスロット１１を通じて記録媒体（Ｍ）が内部に引出／引込されるようになっていて、上部面には記録媒体（Ｍ）をクランピングするクランプ１２が回動可能に設けられており、下部面は後述する本体２０のターンテーブル２２及びピックアップ部２３が記録媒体（Ｍ）の下部記録面に接近できるように一部が開放されている。
本体２０は、箱状からなり前面部に機能操作のための複数の操作ボタン２１が備えられており、図５ａ及び図５ｂを参照すれば分かるように、上部には記録媒体（Ｍ）を回転させるためのターンテーブル２２と記録媒体（Ｍ）の記録面からデータを読み取ったり書き込むピックアップ部２３が設けられており、内部にトップリンクプレート１０を昇降させる昇降機構３０、３１が設けられている。
ここで、昇降機構３０、３１は、物体を昇降させることができるものであるならば現在まで開発されたどんな装置を使用してもよく、例えば、レバーとギヤ機構及びモータなどから構成された昇降装置を使用することができる。
【００１５】
図６は図４に示されたドライブ装置の駆動制御回路に対する概略的なブロック構成図であり、操作部４０と感知部５０と信号処理部６０と制御部７０と移送部８０と昇降駆動部９０とターンテーブル駆動部１００とフィーダー駆動部１１０とを含んで構成される。
【００１６】
操作部４０は本体２０の前面部に備えられた操作ボタン２１が操作されればそれに相応する操作信号を発生して制御部７０に入力し、感知部５０はトップリンクプレート１０のスロット１１の入口に引込まれる記録媒体（Ｍ）とクランプ１２の設置部位に移送される記録媒体（Ｍ）をそれぞれ感知してそれに相応する感知信号を発生する。
【００１７】
信号処理部６０はピックアップ部２３を通じて記録媒体（Ｍ）から読み取られる信号を処理して制御部７０に入力すると共に、制御部７０から出力される書き込みデータを信号処理してピックアップ部２３に出力する。
【００１８】
制御部７０は操作部４０と感知部５０とから入力される信号に応じてピックアップ部２３と信号処理部６０と移送部８０と昇降駆動部９０とターンテーブル駆動部１００及びフィーダー駆動部１１０を制御する。
【００１９】
移送部８０はトップリンクプレート１０のスロット１１の入口に引込まれる記録媒体（Ｍ）を制御部７０の制御によってクランプ１２の部位に移送し、クランプ１２の部位から再びスロット１１の入口に移送するものであって、記録媒体（Ｍ）をホールディングして移送する移送機構と移送機構に動力を印加する動力発生装置とを含む。
【００２０】
昇降駆動部９０は制御部７０の制御によって昇降機構３０、３１を駆動してトップリンクプレート１０を昇降し、ターンテーブル駆動部１００は制御部７０の制御によってターンテーブル２２を駆動する。
【００２１】
フィーダー駆動部１００はピックアップ部２３を記録媒体（Ｍ）の記録面に対して一定方向に移動させるフィーダー（Ｆｅｅｄｅｒ）を含み、制御部７０の制御によってフィーダーを作動させてピックアップ部２３を移動させる。
【００２２】
次に、本発明の作用効果を添付図によって詳述する。
まず、トップリンクプレート１０のスロット１１内に記録媒体（Ｍ）が装着されない状態では、図５ａ及び図５ｂに示すように、昇降機構３０、３１によってトップリンクプレート１０が上昇した状態になっている。
これは、トップリンクプレート１０が下降した状態で、クランプ１２がターンテーブル２２と歯合するようになるため、この部分に記録媒体（Ｍ）が引っ掛かってクランプ１２部位に移送されることができないためである。
【００２３】
上記のように、トップリンクプレート１０が上昇した状態で、利用者が記録媒体（Ｍ）をトップリンクプレート１０のスロット１１の入口に挿入すれば、感知部５０でこれを感知して感知信号を発生することによって制御部７０が移送部８０を制御する。
【００２４】
制御部７０の制御によって移送部８０が、図７ａ及び図７ｂに示すように、記録媒体（Ｍ）をクランプ１２部位に移送し、感知部５０でこれを感知して感知信号を発生することによって制御部７０がトップリンクプレート１０を下降するように昇降駆動部９０を制御する。
制御部７０の制御によって昇降駆動部９０が昇降機構３０、３１を駆動してトップリンクプレート１０を下降させることにより、図８ａ及び図８ｂに示すように、クランプ１２と記録媒体（Ｍ）及びターンテーブル２２が歯合するようになる。
【００２５】
次に、制御部７０がターンテーブル駆動部１００を制御することによって、ターンテーブル２２が回動しながら、記録媒体（Ｍ）が回転するようになる。
続いて、制御部７０はフィーダー駆動部１１０を制御してピックアップ部２３を移動させながら、信号処理部６０を通じて記録媒体（Ｍ）の記録面から信号を読み出したり書き込みする。
【００２６】
以後、記録媒体（Ｍ）をトップリンクプレート１０から引き出す場合の動作過程は、上記した引込み過程の逆順で進行するようになり、これについて説明すれば次の通りである。
【００２７】
利用者が本体２０前面の操作ボタン２１の内、記録媒体（Ｍ）の引出しを指示する操作ボタンを操作すれば、操作部４０からそれに相応する操作信号が発生することによって制御部７０はターンテーブル駆動部１００を制御してターンテーブル２２の回動を中止させる。
【００２８】
次に、制御部７０が昇降駆動部９０を制御して昇降機構３０、３１を駆動することによって、トップリンクプレート１０が上昇してクランプ１２とターンテーブル２２による記録媒体（Ｍ）の拘束状態が解除される。
この状態で制御部７０が移送部８０を制御して記録媒体（Ｍ）をスロット１１の入口に移送する。
【００２９】
以上で説明したように、本発明は、トップリンクプレート１０を本体２０と分離し、記録媒体（Ｍ）が引込まれる時にはトップリンクプレート１０を上昇させてスロット１１内の移送時に記録媒体（Ｍ）が引っ掛かることのないようにした後、トップリンクプレート１０を下降させて記録媒体（Ｍ）をクランピングするように構成したことによって、記録媒体（Ｍ）がスロット１１の内部で引っ掛かることなく移送されることのできる“Δｈ”に該当する高さ程の空間を装置内部に確保しなくともよくなり、即ち、“Δｈ”に該当する高さだけ厚さを薄くすることができるため、装置をよりスリム化することができる。
【００３０】
一方、図９は本発明の他の実施例による超薄型スロットインタイプドライブ装置の構造を示した斜視図であり、同図面を参照すれば分かるように、本発明の他の実施例による超薄型スロットインタイプドライブ装置は、先に叙述した図４の実施例と比べて、トップリンクプレート２００の構造、特にトップリンクプレート２００内部の記録媒体移送メカニズムを違うように構成したものである。但し、本体２０の構造は、図４の実施例と同一であるため、本体２０の各構成部に対しては同一の参照符号を付与して別途の説明は省略することにする。
【００３１】
即ち、本発明の他の実施例によるトップリンクプレート２００は、スロット２０１の入口側の両壁面に一対のストッパ２１０、２１１と一対の弾性部材２２０、２２１が設けられており、スロット２０１の内部の両壁面に一対のガイドレバー２３０、２３１が設けられており、スロット２０１の内側の末端部に媒体感知部２４０とディスクレバー２５０とが設けられている。
【００３２】
ストッパ２１０、２１１は、摩擦系数が大きい材質からなるものであって、記録媒体（Ｍ）の側面に接触するように装着されることによって、記録媒体（Ｍ）の引出し時、弾性部材２２０、２２１の弾性によって記録媒体（Ｍ）がスロット２０１の外部に飛び出さないように摩擦力でホールディングする役割をする。
一対の弾性部材２２０、２２１は、板バネを折曲して一側が突出するように製作することによって、突出部２２０ａ、２２１ａを基準に両側に傾斜方向に弾性力を発生するようになされ、各突出部２２０ａ、２２１ａが記録媒体（Ｍ）の側面と接触するように配置される。
【００３３】
一対のガイドレバー２３０、２３１は、記録媒体（Ｍ）の側面が挿入されてガイドされるように長く凹状の溝が形成されており、通常は突出していて、記録媒体（Ｍ）の引込みが完了した時、即ち、センタリングして、トップリンクプレート２００が下降した時、制御部（図示なし）によって動作するレバー作動部２３０ａ、２３１ａによってレバー作動部２３０ａ、２３１ａのケース内部に退避するように作動する。
【００３４】
このような、ガイドレバー２３０、２３１は記録媒体（Ｍ）が安定して移送され得るようにガイドすると同時に、ドライブ装置が垂直形態（Ｖｅｒｔｉｃａｌ Ｔｙｐｅ）に設けられて記録媒体（Ｍ）が縦方向に装着される場合など、どんな状況でも記録媒体（Ｍ）がいずれか一方に偏るか落ちないように支持する役割を遂行するようになっており、トップリンクプレート２００が下降した後には妨げられずに円滑に回転するように記録媒体（Ｍ）がレバー作動部２３０ａ、２３１ａのケース内部に迅速に退避するようになっている。
【００３５】
さらに、ガイドレバー２３０、２３１はその他の実施例として、トップリンクプレート２００に連動する機構メカニズムによって、別途の動力発生装置なしに、トップリンクプレート２００が下降した時、機構メカニズムによってトップリンクプレート２００に連動して退避動作するように構成することもできる。
媒体感知部２４０は記録媒体（Ｍ）が引込み完了した時、即ち、センタリングされている時、トップリンクプレート２００を下降させると共に記録媒体（Ｍ）をつかむように設けられているものであって、引込み完了した記録媒体（Ｍ）を感知して制御部に感知信号を入力し、トップリンクプレート２００の下降完了時に内部構造物によって記録媒体が妨げられずに円滑に回転するように迅速に退避するようになっている。
【００３６】
ディスクレバー２５０は制御部によって作動するレバー作動メカニズム２６０によって作動して記録媒体（Ｍ）をスロット２０１の入口方向に押し出すことによって記録媒体（Ｍ）を引き出す。
さらに、トップリンクプレート２００の上部面には記録媒体（Ｍ）をクランピングするクランプ２７０が回動可能に設けられており、下部面は本体２０のターンテーブル２２及びピックアップ部２３が記録媒体（Ｍ）の下部記録面に近付けるように一部が開放されている。
【００３７】
上記のように構成された本発明の他の実施例によるトップリンクプレート２００の記録媒体移送過程に対して説明すれば次のようである。
まず、利用者が記録媒体（Ｍ）をトップリンクプレート２００のスロット２０１に挿入して押入すれば、記録媒体（Ｍ）の直径両端点（Ｐ１、Ｐ２）が弾性部材２２０、２２１の突出部２２０ａ、２２１ａを通り越す前までは、弾性部材２２０、２２１の逆方向弾性が作用して多少力が必要となる。
【００３８】
この時、利用者が続けて力を入れて押すようになれば、記録媒体（Ｍ）の直径両端点（Ｐ１、Ｐ２）が弾性部材２２０、２２１の突出部２２０ａ、２２１ａを通し越しながら弾性部材２２０、２２１の正方向弾性が作用するため、記録媒体（Ｍ）が弾性部材２２０、２２１の弾性力によってスロット２０１内部のクランプ２７０部位にスライドされる。
このような弾性部材２２０、２２１の弾性力によって記録媒体（Ｍ）がクランプ２７０部位に移送されれば、媒体感知部２４０によって感知され、制御部が昇降機構３０、３１を作動させることによりトップリンクプレート２００が下降される。
【００３９】
次に、制御部がレバー作動部２３０ａ、２３１ａを作動させてガイドレバー２３０、２３１をレバー作動部２３０ａ、２３１ａのケース内部に待避させることにより記録媒体（Ｍ）の回転を妨げないようにした後、ターンテーブル２２及びピックアップ部２３を作動させるようになる。
【００４０】
以後、利用者が本体２０前面の操作ボタン２１の内、記録媒体（Ｍ）の引出しを指示する操作ボタンを操作すれば、制御部がこれを感知してターンテーブル２２の回動を中止させ、レバー作動部２３０ａ、２３１ａを作動させてガイドレバー２３０、２３１を突出位置に復帰させることによって記録媒体（Ｍ）をガイドするようにした後、昇降機構３０、３１を作動させてトップリンクプレート２００を上昇させる。
【００４１】
これと同時に、制御部がレバー作動メカニズム２６０を作動させる事によって、ディスクレバー２５０がスロット２０１の入口方向に回動しながら、記録媒体（Ｍ）をその直径両端点（Ｐ１、Ｐ２）が弾性部材２２０、２２１の突出部２２０ａ、２２１ａを通り越すように押し出すようになる。
ディスクレバー２５０の作動によって、記録媒体（Ｍ）の直径両端点（Ｐ１、Ｐ２）が弾性部材２２０、２２１の突出部２２０ａ、２２１ａを通し越しながら弾性部材２２０、２２１の逆方向弾性が作用するため、弾性部材２２０、２２１の弾性力によって記録媒体（Ｍ）がスロット２０１の入口方向に押されて出るようになる。
【００４２】
この時、スロット２０１の入口に設けられたストッパ２１０、２１１の摩擦力が作用するため、記録媒体（Ｍ）はスロット２０１の外部に飛び出さずにスロット２０１の入口に引っ掛かるようになる。
【００４３】
以上で説明したように、本発明の他の実施例によれば、記録媒体を移送するために動力を使用する移送メカニズムの代わり、弾性部材の弾性力を利用するように構成されていて、動力方式の移送メカニズムを採用した、図４の実施例と比べて、その厚さをさらにスリム化することができる（Δｔ０ ＞ Δｔ１ ＞ Δｔ２）。
【００４４】
より詳しく説明すれば、記録媒体を動力によって移送する移送メカニズムは、記録媒体を両側でホールディングするホルダまたは記録媒体の移送のためのローラとこれを動作させるための動力伝達機構が必要であるため一定の厚さがさらに必要になるのに対し、本発明の他の実施例は、記録媒体をホールディングするためのホルダまたは媒体移送のためのローラとこれを動作させるための動力伝達機構が必要ではなく、スロット内に記録媒体がスライドされ得る空間のみを確保すれば良いため、記録媒体の移送のための空間の厚さをさらに薄くすることができるのである。
【００４５】
上記において本発明は特定実施例を例示して説明するが、本発明が上記の実施例に限定されるものではない。当業者は本発明に対する多様な変形、修正を容易にすることができ、このような変形または修正が本発明の特徴を利用する限り本発明の範囲に含まれるということを肝に銘じなければならない。
【００４６】
さらに、本発明の他の実施例によれば、弾性部材の弾性力を利用して移送媒体を移送するように構成された移送メカニズムを提供することによって、記録媒体をホールディングするためのホルダまたは媒体移送のためのローラとこれを動作させるための動力伝達機構が必要ではなく、記録媒体の移送のための空間の厚さをさらに薄くすることができ、これを通じて装置をさらにスリム化することができる効果がある。
【図面の簡単な説明】
【００４７】
【図１】従来の一般的なスロットインタイプドライブ装置の外観斜視図である。
【図２】図１でケースを分離した状態を示した図面である。
【図３】図２で記録媒体を引き込んで装着した状態を示した図面である。
【図４】本発明の好ましい実施例による超薄型スロッインタイプドライブ装置の外観斜視図である。
【図５（ａ）】トップリンクプレートに記録媒体を引込する前の状態を示した図面である。
【図５（ｂ）】（ａ）に対して要部を切開した側面図である。
【図６】図４に示されたドライブ装置の駆動制御回路に対する概略的なブロック構成図である。
【図７（ａ）】図５（ａ）でトップリンクプレートに記録媒体を引込んで装着した状態を示した図面である。
【図７（ｂ）】（ａ）に対して要部を切開した側面図である。
【図８（ａ）】図７（ａ）でトップリンクプレートを下降させた状態を示した図面である。
【図８（ｂ）】（ａ）に対して要部を切開した側面図である。
【図９】本発明の他の実施例による超薄型スロットインタイプドライブ装置の構造を示した斜視図である。
【符号の説明】
【００４８】
１０  トップリンクプレート、１１  スロット、  １２  クランプ、２０  本体、２１  操作ボタン、２２  ターンテーブル、２３  ピックアップ部、３０、３１  昇降機構、４０  操作部、５０  感知部、６０  信号処理部、７０  制御部、８０  移送部、９０  昇降駆動部、１００  ターンテーブル駆動部、１１０  フィーダー駆動部
【図１】
2005222670.tif 000003
【図２】
2005222670.tif 000004
【図３】
2005222670.tif 000005
【図４】
2005222670.tif 000006
【図５（ａ）】
2005222670.tif 000007
【図５（ｂ）】
2005222670.tif 000008
【図６】
2005222670.tif 000009
【図７（ａ）】
2005222670.tif 000010
【図７（ｂ）】
2005222670.tif 000011
【図８（ａ）】
2005222670.tif 000012
【図８（ｂ）】
2005222670.tif 000013
【図９】
2005222670.tif 000014